(57)【要約】  撮影時の画角枠が想像し易く、撮影シーンに最適な焦点距離の撮影レンズが選択可能な撮影装置及びその制御方法を提供する。  ファインダは、ファインダ用レンズを介して被写体像が観察可能になっている。ファインダ内情報表示部は、情報を被写体像に重畳させて観察可能に表示し、且つ第１画角枠６１〜第３画角枠６３を表示する。第１画角枠６１は、マウント部に装着可能な全ての撮影レンズの焦点距離に対応した複数の画角枠である。第２画角枠６２は、マウント部に過去に装着された撮影レンズの焦点距離に対応する複数の画角枠である。第３画角枠６３は、マウント部に装着されている撮影レンズの焦点距離に対応する画角枠である。マウント部に装着可能な全ての撮影レンズの画角枠６１〜６３が表示されることにより、撮影シーンに最適な焦点距離の撮影レンズを容易に知ることができる。
2017086065.tif 000002
【特許請求の範囲】
【請求項１】
焦点距離の異なる複数の撮影レンズが着脱自在に装着されるマウント部と、
前記マウント部に装着された１つの前記撮影レンズを介して入射する被写体像に基づき画像を生成する撮像素子と、
ファインダ用レンズを介して前記被写体像を観察可能に構成されたファインダと、
前記ファインダ内において、情報を前記被写体像に重畳させて観察可能に表示させるファインダ内情報表示部と、
前記マウント部に過去に装着された前記撮影レンズの装着履歴を記憶する装着履歴記憶部と、
前記ファインダ内情報表示部を制御し、前記マウント部に装着可能な全ての前記撮影レンズの焦点距離に対応した複数の第１画角枠を前記情報として表示させる第１画角枠表示制御部と、
前記ファインダ内情報表示部を制御し、前記装着履歴に基づき、前記複数の第１画角枠のうち、前記マウント部に過去に装着された前記撮影レンズの焦点距離に対応するものを第２画角枠として、前記第１画角枠とは異なる表示形態で前記情報として表示させる第２画角枠表示制御部と、
前記ファインダ内情報表示部を制御し、現在前記マウント部に装着されている前記撮影レンズの焦点距離に対応する第３画角枠を、前記第１及び第２画角枠とは異なる表示形態で前記情報として表示させる第３画角枠表示制御部と、
を備える撮影装置。
【請求項２】
前記画像の撮影シーンに適した最適焦点距離を判定する判定部と、
前記第１〜第３画角枠のうちから、前記判定部により判定された前記最適焦点距離に対応する画角枠を強調表示させる強調表示制御部と、
を備える請求項１に記載の撮影装置。
【請求項３】
前記ファインダ内情報表示部は、前記情報の他に、前記撮像素子により生成された前記画像を、前記被写体像に重畳又は近接させて表示する請求項２に記載の撮影装置。
【請求項４】
前記ファインダ内情報表示部は、前記判定部により判定された前記最適焦点距離に対応する最適画角枠を、前記画像中に表示させる請求項３に記載の撮影装置。
【請求項５】
前記ファインダ内情報表示部は、前記画像中の前記最適画角枠以外の領域を、輝度を低下させて表示させる請求項４に記載の撮影装置。
【請求項６】
前記画像から電子ズーム倍率に対応する大きさの領域を切り取って拡大する電子ズーム機能を備え、
前記ファインダ内情報表示部は、前記電子ズーム機能が実行される前に、複数の電子ズーム倍率に対応する複数の画角枠を前記画像中に表示させる請求項３から５いずれか１項に記載の撮影装置。
【請求項７】
焦点距離の異なる複数の撮影レンズが着脱自在に装着されるマウント部と、
前記マウント部に装着された１つの前記撮影レンズを介して入射する被写体像に基づき画像を生成する撮像素子と、
ファインダ用レンズを介して前記被写体像を観察可能に構成されたファインダと、
前記ファインダ内において、情報を前記被写体像に重畳させて観察可能に表示させるファインダ内情報表示部と、
を備える撮影装置の制御方法において、
前記マウント部に過去に装着された前記撮影レンズの装着履歴を記憶する装着履歴記憶ステップと、
前記ファインダ内情報表示部を制御し、前記マウント部に装着可能な全ての前記撮影レンズの焦点距離に対応した複数の第１画角枠を前記情報として表示させる第１画角枠表示制御ステップと、
前記ファインダ内情報表示部を制御し、前記装着履歴に基づき、前記複数の第１画角枠のうち、前記マウント部に過去に装着された前記撮影レンズの焦点距離に対応するものを第２画角枠として、前記第１画角枠とは異なる表示形態で前記情報として表示させる第２画角枠表示制御ステップと、
前記ファインダ内情報表示部を制御し、現在前記マウント部に装着されている前記撮影レンズの焦点距離に対応する第３画角枠を、前記第１及び第２画角枠とは異なる表示形態で前記情報として表示させる第３画角枠表示制御ステップと、
を含む撮影装置の制御方法。
【発明の詳細な説明】
【技術分野】
【０００１】
本発明は、撮影装置及びその制御方法に関する。
【背景技術】
【０００２】
ハイブリッドファインダを有するデジタルカメラ等の撮影装置が知られている（特許文献１参照）。ハイブリッドファインダは、光学ビューファインダ（以下、Optical View Finder：ＯＶＦという）モードと電子ビューファインダ（以下、Electric View Finder：ＥＶＦという）モードとを有し、両者が切り替え可能になっている。【０００３】
ハイブリッドファインダは、被写体側のファインダ窓と撮影者側の接眼窓との間に、ファインダ内情報表示部を有する。ファインダ内情報表示部は、例えばハーフミラーと表示パネルから構成されている。表示パネルは、有機ＥＬ（OLED：Organic Light-Emitting Diode）等の自発光表示装置や液晶表示装置等から構成され、被写体画像や情報画像を表示する。被写体画像は、撮影データに基づき表示パネルに表示される。撮影データは、撮影レンズを通して撮像素子に結像された画像を光電変換して得られる。情報画像は、シャッタ速度、絞り値、ＩＳＯ（International Organization for Standardization：国際標準化機構）のこと。感度等の撮影条件データに基づき表示される。ファインダ窓には、被写体の光学像が入射する。ハーフミラーは被写体の光学像を一部透過させてファインダ接眼部に導く。また、ハーフミラーは、表示パネルが表示した表示画像を一部反射させてファインダ接眼部に導く。【０００４】
ハイブリッドファインダは、ファインダ窓に入射する光学像を遮蔽するシャッタ（以下、ＯＶＦシャッタという）を有している。ＯＶＦモードでは、ＯＶＦシャッタを開状態とし、表示パネルを非表示とさせることで、光学像をファインダ接眼部に導く。ＥＶＦモードでは、ＯＶＦシャッタを閉状態とし、表示パネルに表示画像を表示する。表示画像はハーフミラーを介してファインダ接眼部に導かれる。【０００５】
表示パネルの表示面は、被写体画像が表示される被写体表示エリアと、情報画像が表示される情報表示エリアとを有している。被写体表示エリアは表示画像の中央部に設定され、情報表示エリアは被写体表示エリアの周囲を囲うように枠状に設定される。ハイブリッドファインダは、ＥＶＦモードでは、被写体表示エリアと情報表示エリアとの両方に画像を表示する。ＯＶＦモードでは、被写体表示エリアの被写体画像を非表示とし、情報表示エリアの情報画像を表示する。これにより、ハーフミラーを介して光学像と情報画像とをファインダ接眼部に導くことにより、光学像に情報画像が重ね合わせて表示される。【０００６】
一方、焦点距離が異なる複数の撮影レンズが装着可能な撮像装置であって、装着されている撮影レンズの他に、非装着の撮影レンズの画角を表示する撮像装置が知られている（特許文献２参照）。この撮像装置では、マウント部に装着されている撮影レンズで撮影された画像に、非装着の撮影レンズの画角枠を表示することにより、非装着レンズによる撮影画角を把握することができる。
【先行技術文献】
【特許文献】
【０００７】
【特許文献１】特開２０１２−０６５２９４号公報
【特許文献２】特開２０１２−１６８２９９号公報
【発明の概要】
【発明が解決しようとする課題】
【０００８】
しかしながら、特許文献２の撮像装置では、マウント部に装着されている撮影レンズを介して撮影画像を取得し、この撮影画像を表示部に表示している。装着されている撮影レンズの焦点距離よりも、更に短い撮影レンズの画角枠を表示する場合には、装着されている撮影レンズの画角よりも大きくなる。このため、非装着の撮影レンズは、撮影画像の外側に枠だけ表示される。従って、画角枠のみの表示であり、装着されている撮影レンズによる撮影画角枠と非装着レンズの画角枠との間は被写体像が写ることが無いため、撮影者であるユーザにとっては、非装着レンズによる撮影画角を撮影シーン上で想像することが困難であるという問題がある。【０００９】
また、特許文献２の撮像装置では、ユーザが保有している撮影レンズと、保有していないがマウント部に装着可能な撮影レンズとが区別されていない。このため、ユーザが保有している撮影レンズのみの画角枠を表示する場合には、それ以外のラインナップされている撮影レンズの画角枠を撮影シーン上で想像することができない。【００１０】
本発明は、撮影時の画角枠が想像し易く、撮影シーンに最適な焦点距離の撮影レンズが選択可能な撮影装置及びその制御方法を提供することを目的とする。
【課題を解決するための手段】
【００１１】
上記目的を達成するため、本発明の撮影装置は、マウント部と、撮像素子と、ファインダと、ファインダ内情報表示部と、装着履歴記憶部と、第１画角枠表示制御部と、第２画角枠表示制御部と、第３画角枠表示制御部とを備える。マウント部は、焦点距離の異なる複数の撮影レンズを着脱自在に保持する。撮像素子は、マウント部に装着された１つの撮影レンズを介して入射する被写体像に基づき画像を生成する。ファインダは、ファインダ用レンズを介して被写体像が観察可能に構成されている。ファインダ内情報表示部は、ファインダ内において、情報を被写体像に重畳させて観察可能に表示する。装着履歴記憶部は、マウント部に過去に装着された撮影レンズの装着履歴を記憶する。第１画角枠表示部は、ファインダ内情報表示部を制御し、マウント部に装着可能な全ての撮影レンズの焦点距離に対応した複数の第１画角枠を情報として表示する。第２画角枠表示制御部は、ファインダ内情報表示部を制御し、装着履歴に基づき、複数の第１画角枠のうち、マウント部に過去に装着された撮影レンズの焦点距離に対応するものを第２画角枠として、第１画角枠とは異なる表示形態で情報として表示する。第３画角枠表示制御部は、ファインダ内情報表示部を制御し、現在マウント部に装着されている撮影レンズの焦点距離に対応する第３画角枠を、第１及び第２画角枠とは異なる表示形態で情報として表示する。【００１２】
なお、判定部と強調表示制御部とを備えることが好ましい。判定部では、画像の撮影シーンに適した最適焦点距離を判定する。また、強調表示制御部は、第１〜第３画角枠のうちから、判定部により判定された最適焦点距離に対応する画角枠を強調表示する。【００１３】
ファインダ内情報表示部は、情報の他に、撮像素子により生成された画像を、被写体像に重畳又は近接させて表示することが好ましい。また、ファインダ内情報表示部は、判定部により判定された最適焦点距離に対応する最適画角枠を、画像中に表示することが好ましい。更に、ファインダ内情報表示部は、画像中の最適画角枠以外の領域を、輝度を低下させて表示することが好ましい。【００１４】
画像から電子ズーム倍率に対応する大きさの領域を切り取って拡大する電子ズーム機能を備えることが好ましい。ファインダ内情報表示部は、電子ズーム機能が実行される前に、複数の電子ズーム倍率に対応する複数の画角枠を画像中に表示する。【００１５】
本発明の撮影装置の制御方法は、マウント部、撮像素子、ファインダ、ファインダ内情報表示部を備える撮影装置の制御方法であって、装着履歴記憶ステップと、第１画角枠表示制御ステップと、第２画角枠表示制御ステップと、第３画角枠表示制御ステップとを処理する。マウント部は、焦点距離の異なる複数の撮影レンズが着脱自在に装着される。撮像素子は、マウント部に装着された１つの撮影レンズを介して入射する被写体像に基づき画像を生成する。ファインダは、ファインダ用レンズを介して被写体像が観察可能になっている。ファインダ内情報表示部は、ファインダ内において、情報を被写体像に重畳させて観察可能に表示する。装着履歴記憶ステップは、マウント部に過去に装着された撮影レンズの装着履歴を記憶する。第１画角枠表示制御ステップは、ファインダ内情報表示部を制御し、マウント部に装着可能な全ての撮影レンズの焦点距離に対応した複数の第１画角枠を情報として表示する。第２画角枠表示制御ステップは、ファインダ内情報表示部を制御し、装着履歴に基づき、複数の第１画角枠のうち、マウント部に過去に装着された撮影レンズの焦点距離に対応するものを第２画角枠として、第１画角枠とは異なる表示形態で情報として表示する。第３画角枠表示制御ステップは、ファインダ内情報表示部を制御し、現在マウント部に装着されている撮影レンズの焦点距離に対応する第３画角枠を、第１及び第２画角枠とは異なる表示形態で情報として表示する。
【発明の効果】
【００１６】
本発明によれば、マウント部に装着されていない他の撮影レンズによる撮影範囲が想像し易くなり、撮影シーンに最適な焦点距離を有する撮影レンズの選択が容易になる。また、未保有の撮影レンズの使用意欲の動機付けとなり、撮影レンズの販売が促進される。
【図面の簡単な説明】
【００１７】
【図１】デジタルカメラの正面図である。
【図２】デジタルカメラの背面側の斜視図である。
【図３】デジタルカメラの電気的構成を示すブロック図である。
【図４】ＥＶＦモードにおけるＥＶＦ画像の一例を示す図である。
【図５】画角枠テーブルデータを示す図である。
【図６】撮影レンズの装着履歴の記憶処理を示すフローチャートである。
【図７】ＥＶＦモード、ＯＶＦモード、及び全画角枠表示モードのモード切替処理を示すフローチャートである。
【図８】ＯＶＦモードにおけるＯＶＦ画像の一例を示す図である。
【図９】全画角枠表示モードにおけるＯＶＦ画像の一例を示す図である。
【図１０】シーン判定最適画角枠表示モードにおける処理を示すフローチャートである。
【図１１】シーン判定最適画角枠表示モードにおけるＯＶＦ画像の一例を示す図である。
【図１２】ハイブリッドモードにおける被写体表示エリアと情報表示エリアとサブ表示エリアとを示す図である。
【図１３】ハイブリッドモードにおけるハイブリッド画像の一例を示す図である。
【図１４】電子ズーム画角枠表示モードにおける処理を示すフローチャートである。
【図１５】電子ズーム画角枠表示モードにおけるＯＶＦ画像の一例を示す図である。
【図１６】撮影レンズの画角よりも大きなエリアを撮影するスイングパノラマ撮影手法の説明図である。
【図１７】スイングパノラマ撮影手法で得たパノラマ画像に画角枠を表示した一例を示す図である。
【発明を実施するための形態】
【００１８】
［第１実施形態］
図１及び図２において、デジタルカメラ１０は、カメラ本体１１と撮影レンズ１２とを備える。撮影レンズ１２はレンズ鏡筒１７を有し、マウント部１３を介してカメラ本体１１に着脱自在に装着される。カメラ本体１１は、操作部１４、背面表示部１５、及びファインダ１６を備える。ファインダ１６は、電子ビューファインダ（ＥＶＦ）モードと、光学ビューファインダ（ＯＶＦ）モードと、全画角表示モードとの切り替えが可能なハイブリッド型である。
【００１９】
操作部１４は、電源ボタン１８、レリーズボタン１９、ファインダ切替レバー２１、モード選択ボタン２２、ズームボタン２３等を有している。電源ボタン１８は、デジタルカメラ１０の電源（図示せず）をオン又はオフする際に操作される。レリーズボタン１９は、撮影を実行する際に操作される。ファインダ切替レバー２１は、ファインダ１６を、ＥＶＦモード、ＯＶＦモード、及び全画角枠表示モードの間で切り替える際に操作される。モード選択ボタン２２は、デジタルカメラ１０の動作モードを切り替える際に操作される。ズームボタン２３は、ズーミングを行う際に操作される。
【００２０】
レリーズボタン１９は、Ｓ１スイッチとＳ２スイッチとで構成された２段ストローク式のスイッチ（図示せず）を有する。デジタルカメラ１０は、レリーズボタン１９が半分のストローク程度に押下（半押し）され、Ｓ１スイッチがオン状態となると、オートフォーカス（ＡＦ）動作等の撮影準備動作を行う。この状態から更にレリーズボタン１９が全ストローク程度に押下（全押し）され、Ｓ２スイッチがオン状態となると、撮影動作を行う。
【００２１】
デジタルカメラ１０の動作モードには、静止画像を取得する静止画撮影モード、動画像を取得する動画撮影モード、取得した各画像を背面表示部１５に再生表示する再生モード等がある。背面表示部１５は、カメラ本体１１の背面に設けられている。背面表示部１５は、各種撮影モードで取得された画像や、各種設定を行うためのメニュー画面を表示する。
【００２２】
ファインダ１６は、被写体の光学像を取り込むファインダ窓１６ａと、撮影者であるユーザの眼が接近するファインダ接眼部１６ｂとを有する。ファインダ窓１６ａは、カメラ本体１１の前面側に設けられている。ファインダ接眼部１６ｂは、カメラ本体１１の背面側に設けられている。ファインダ窓１６ａ及びファインダ接眼部１６ｂによりファインダ用レンズが構成されている。
【００２３】
カメラ本体１１の底部にはスロット（図示せず）が設けられている。スロットには記録メディア４０（図３参照）が装着される。
【００２４】
図３に示すように、撮影レンズ１２には絞り３０が設けられている。絞り３０は、主制御部３２によって駆動制御され、固体撮像素子３１に入射させる光量を調整する。固体撮像素子３１には、レンズ鏡筒１７を通過し、絞り３０により光量が調整された被写体の光学像（被写体像）が入射する。
【００２５】
レンズ鏡筒１７は、ズームレンズ１７ａ、フォーカスレンズ１７ｂを保持している。レンズ鏡筒１７内には、レンズ駆動部２４が設けられている。レンズ駆動部２４は、主制御部３２の制御の下、ズームレンズ１７ａ、フォーカスレンズ１７ｂを光軸方向に移動させる。ズームレンズ１７ａの移動によりズーミングが行われ、フォーカスレンズ１７ｂの移動によりＡＦ動作が行われる。
【００２６】
固体撮像素子３１はカメラ本体１１に設けられている。固体撮像素子３１は、モード選択ボタン２２（図２参照）により選択された動作モードに応じて、主制御部３２により駆動制御される。固体撮像素子３１は、例えば、ＲＧＢ方式のカラーフィルタを有する単板カラー撮像方式のＣＭＯＳ(complementary metal oxide semiconductor)型やＣＣＤ(Charged-coupled devices)型のイメージセンサである。固体撮像素子３１は、２次元マトリクス状に配列された複数の画素（図示せず）により構成される受光面を有している。各画素は、光電変換素子を含んでおり、受光面に結像された光学像を光電変換して撮像信号を生成する。また、固体撮像素子３１は、電子シャッタ機能を有しており、シャッタ速度（電荷蓄積時間）が調整可能である。
【００２７】
固体撮像素子３１は、ノイズ除去回路、オートゲインコントローラ、Ａ／Ｄ変換回路等の信号処理回路（いずれも図示せず）を備える。ノイズ除去回路は、撮像信号にノイズ除去処理を施す。オートゲインコントローラは、撮像信号のレベルを最適な値に増幅する。Ａ／Ｄ変換回路は、撮像信号をデジタル信号に変換して固体撮像素子３１から出力する。固体撮像素子３１の出力信号は、画素ごとに１つの色信号を有する画像データ（いわゆるＲＡＷ(Raw image format)データ）である。
【００２８】
固体撮像素子３１及び主制御部３２は、バス３３に接続されている。この他に、バス３３には、メモリ制御部３４、デジタル信号処理部３５、メディア制御部３６、第１表示制御部３７、第２表示制御部３８が接続されている。
【００２９】
メモリ制御部３４には、ＳＤＲＡＭ(Synchronous Dynamic Random Access Memory)等の一時記憶用のメモリ３９が接続されている。メモリ制御部３４は、固体撮像素子３１から出力された画像データをメモリ３９に入力して記憶させる。また、メモリ制御部３４は、メモリ３９に記憶された画像データを、デジタル信号処理部３５に出力する。
【００３０】
デジタル信号処理部３５は、メモリ３９から入力された画像データ（ＲＡＷデータ）に対して、欠陥補正処理、デモザイク処理、ガンマ補正処理、ホワイトバランス補正処理、ＹＣ変換処理等を行い、輝度信号Ｙと色差信号ＣとからなるＹＣ画像データを生成する。
【００３１】
メディア制御部３６は、記録メディア４０への画像ファイルの記録及び読み出しを制御する。記録メディア４０は、例えば、フラッシュメモリ等を内蔵したメモリカードである。
【００３２】
静止画撮影モードの場合には、画像ファイルとして、例えば、ＹＣ画像データをＪＰＥＧ規格等で圧縮した圧縮画像データが記録メディア４０に記録される。また、動画撮影モードの場合には、動画撮影により得られる複数フレームのＹＣ画像データをＭＰＥＧ（Moving Picture Expert Group）−４規格等で圧縮した動画データが記録メディア４０に記録される。これらの圧縮処理は、デジタル信号処理部３５で行われる。なお、動画撮影モードの場合には、画像に加えて音声も取得して記録されるが、本実施形態では、音声の取得及び記録に関する構成については、説明を省略する。
【００３３】
第１表示制御部３７は、背面表示部１５への画像表示を制御する。具体的には、第１表示制御部３７は、デジタル信号処理部３５により生成されたＹＣ画像データに基づいて、ＮＴＳＣ（National Television System Committee）規格等に準拠した映像信号を生成して背面表示部１５に出力する。
【００３４】
第２表示制御部３８は、第１表示制御部３７と同様にＹＣ画像データに基づいた映像信号を生成し、後述する液晶表示装置（ＥＶＦＬＣＤ）４２に出力する。第２表示制御部３８により、第１画角枠表示制御部、第２画角枠表示制御部、及び第３画角枠表示制御部が構成される。第２表示制御部３８により、第１画角枠表示制御ステップ、第２画角枠表示制御ステップ、及び第３画角枠表示制御ステップが行われる。
【００３５】
ファインダ１６には、ＥＶＦＬＣＤ４２と、プリズム４３と、ＯＶＦシャッタ４４とが設けられている。ＥＶＦＬＣＤ４２と、プリズム４３と、ＯＶＦシャッタ４４とにより、ファインダ内情報表示部が構成される。ファインダ内情報表示部は、ファインダ窓１６ａ、ファインダ接眼部１６ｂからなるファインダ用レンズを介して得られる光学像５９（図８（Ｂ）参照）に、情報画像５７等の情報を重畳させて観察可能に表示する。
【００３６】
ＥＶＦＬＣＤ４２は、バックライトと液晶パネルとを有する。バックライトは光を液晶パネルに面状に照射する。液晶パネルは、複数の液晶セルを有する透過型液晶パネルであり、第２表示制御部３８から入力される映像信号に基づいて、各液晶セルの光透過率を制御する。このとき、バックライトから射出され、液晶パネルを透過した光により画像表示が行われる。
【００３７】
図４に示すように、ＥＶＦＬＣＤ４２には、被写体表示エリア４６と情報表示エリア４７とが設定される。被写体表示エリア４６には被写体画像５５や、後に説明する第１画角枠６１〜第３画角枠６３（図９（Ａ）参照）が表示される。被写体画像５５は、デジタル信号処理部３５により生成されるＹＣ画像データの表示画像である。画角枠６１〜６３は、画角枠データに基づき主制御部３２により生成される表示画像である。画角枠６１〜６３は、撮影レンズ１２の焦点距離毎の画角枠を表している。
【００３８】
情報表示エリア４７は、被写体表示エリア４６の周囲を囲うように枠状に設定される。情報表示エリア４７には、情報画像５７が表示される。情報画像５７は、主制御部３２により生成される情報画像データの表示画像である。情報画像データは、撮影条件、撮影可能枚数、撮影モード等の撮影情報に基づいて生成される。情報画像５７の一例としては、シャッタ速度を示す「１／２０００」、絞り値を示す「Ｆ５．６」、ＩＳＯ感度を示す「ＩＳＯ２００」、撮影モードを示す「Ｐ」、撮影可能枚数を示す「１９」等がある。
【００３９】
図３に示すように、主制御部３２は、画角枠テーブルデータ４１を備えている。図５に示すように、画角枠テーブルデータ４１は、焦点距離欄４１ａ、画角枠データ欄４１ｂ、状態欄４１ｃを有する。焦点距離欄４１ａには、マウント部１３に装着してデジタルカメラ１０で使用可能な全ての撮影レンズ１２の焦点距離が記憶されている。画角枠データ欄４１ｂには、各撮影レンズ１２の焦点距離に対応した画角枠データＤ１８，Ｄ３５，Ｄ５０，・・・が記憶されている。例えば、１８ｍｍの焦点距離を有する撮影レンズの場合には画角枠データＤ１８が登録される。
【００４０】
状態欄４１ｃには識別記号Ａ，Ｂ，Ｃのいずれかが記憶される。識別記号Ａは、カメラ本体１１を所持するユーザが保有している撮影レンズ１２に対して付される。この識別記号Ａは、ユーザが保有するカメラ本体１１のマウント部１３に過去に装着された焦点距離の撮影レンズ１２に対し自動的に付される。これにより、別途、保有登録する手間を省略することができる。識別記号Ｂは、ユーザが保有していない使用可能な撮影レンズ１２に対して付される。識別記号Ｃは、現在カメラ本体１１のマウント部１３に装着されている撮影レンズ１２に対して付される。従って、状態欄４１ｃの識別記号Ａ〜Ｃにより、カメラ本体１１への撮影レンズ１２の装着履歴や、撮影レンズ１２の保有の有無が判る。
【００４１】
図５に示す画角枠テーブルデータ４１では、焦点距離が１８ｍｍ、５０ｍｍ、及び６０ｍｍの撮影レンズ１２に対して識別記号Ａが付されており、現在保有している撮影レンズ１２であることが判る。また、焦点距離が６０ｍｍの撮影レンズ１２に対して識別記号Ｃが付されており、マウント部１３に装着されている撮影レンズ１２であることが判る。更に、撮影レンズ３５ｍｍ，１２０ｍｍに対しては識別記号Ｂが付されており、ユーザが現時点で保有していない撮影レンズ１２であることが判る。
【００４２】
図６は画角枠テーブルデータ４１を用いて装着履歴が記憶される処理（装着履歴記憶ステップ）を行うフローチャートを示している。デジタルカメラ１０の電源ボタン１８が操作されて電源がＯＮになった時に、画角枠テーブルデータ４１に対して装着履歴の記憶処理が開始される。先ず、主制御部３２は、マウント部１３を介してレンズ駆動部２４のレンズ情報２４ａを読み出す（Ｓ１１）。この読み出したレンズ情報２４ａに基づき、画角枠テーブルデータ４１中の該当する撮影レンズ１２の状態欄４１ｃの識別記号が「Ｂ」である時に未装着であると判定して（Ｓ１２）、これを識別記号Ａに書き換える（Ｓ１３）。この書き換えによって撮影レンズ装着履歴の記憶処理が完了する。また、撮影レンズ１２の変更の有無が判定され（Ｓ１４）、撮影レンズ１２が前回電源投入時とは異なっている場合（撮影レンズの変更有りの場合）に、レンズ情報の書き換えが行われる。
【００４３】
なお、レンズ情報２４ａは電子的なものに代えて、光学的又は機械的に読み取り可能な識別マークであってもよい。この場合には、マウント部１３に対応する位置で撮影レンズ１２に識別マークを設けておき、カメラ本体１１側のマークセンサ（共に図示せず）により光学的又は機械的に読み取る。主制御部３２による撮影レンズ１２からのレンズ情報２４ａの読み出し機能と、画角枠テーブルデータ４１の状態欄４１ｃへの識別記号Ａの書き込み機能とにより、装着履歴記憶部が構成される。この装着履歴記憶部により装着履歴記憶ステップが行われる。
【００４４】
画角枠テーブルデータ４１は、新たな撮影レンズ１２が例えば追加販売される毎に、更新が可能になっている。更新は、例えば、記録メディア４０（図３参照）を介して新たな更新データを読み込むことで行われる。また、記録メディア４０を介した更新の代わりに、図示しないパソコンとの例えばＵＳＢ(Universal Serial Bus)接続によって更新される。更には、ソフトウェアのバージョンアップ時にソフトウェアの更新と一緒に更新される。このようにして、画角枠テーブルデータ４１は最新の使用可能な撮影レンズ１２の一覧に対応させている。
【００４５】
図３に戻って、プリズム４３は、光路統合部としてのハーフミラー４８が内部に構成されている。ハーフミラー４８は、ファインダ窓１６ａに入射した被写体の光学像が伝搬する第１光路４９と、ＥＶＦＬＣＤ４２に表示された表示画像が伝搬する第２光路５０とに対して、４５度の角度をなすように配置されている。このハーフミラー４８は、第１光路４９と第２光路５０とを統合して第３光路５１とする。この第３光路５１上にファインダ接眼部１６ｂが配置されている。ハーフミラー４８は、第１光路４９上を伝搬する光学像を一部透過させて第３光路５１に導き、第２光路５０上を伝搬する表示画像を一部反射させて第３光路５１に導く。
【００４６】
ＯＶＦシャッタ４４は液晶シャッタであり、第１光路４９上に配置されている。ＯＶＦシャッタ４４は、主制御部３２により制御され、ファインダ窓１６ａから入射する光学像を遮光してプリズム４３に入射させない「閉状態」と、光学像を透過させてプリズム４３に入射させる「開状態」との間で切り替えられる。ＯＶＦシャッタ４４は、ＯＶＦモードや全画角枠表示モード、後に説明するハイブリッドモードの場合に「開状態」とされ、ＥＶＦモードの場合に「閉状態」とされる。
【００４７】
図７は、ＥＶＦモードＭ１、ＯＶＦモードＭ２、及び全画角枠表示モードＭ３を切り替えるモード切替処理を示すフローチャートである。操作部１４のファインダ切替レバー２１やモード選択ボタン２２等の操作によって、ＥＶＦモードＭ１、ＯＶＦモードＭ２、及び全画角枠表示モードＭ３に切り替えることができる。
【００４８】
ＥＶＦモードＭ１では、第２表示制御部３８は、図４に示すように、被写体表示エリア４６に被写体画像５５を表示し、情報表示エリア４７に情報画像５７を表示する映像信号を生成する。この映像信号の情報表示エリア４７に対応する部分の信号値は、文字等の撮影情報を示す部分が例えば最高階調（白色）レベルであり、その他の部分が例えば最低階調（黒色）レベルである。被写体画像５５及び情報画像５７は、第２光路５０上を伝搬してハーフミラー４８によって反射されることにより、第３光路５１に導かれる。ＯＶＦシャッタ４４は「閉状態」とされているため、光学像５９はハーフミラー４８には入射しない。この結果、図４に示す被写体画像５５及び情報画像５７が表示されたＥＶＦ画像Ｐ１がファインダ接眼部１６ｂに導かれる（Ｓ２２）。
【００４９】
ＯＶＦモードＭ２では、第２表示制御部３８は、被写体表示エリア４６を非表示とし、情報表示エリア４７に情報画像５７を表示する映像信号を生成する。この映像信号の被写体表示エリア４６に対応する部分の信号値は、黒色レベルである。また、この映像信号の情報表示エリア４７に対応する部分の信号値は、前述のＥＶＦモードＭ１と同様に、撮影情報を示す部分が白色レベルであり、その他の部分が黒色レベルである。従って、図８（Ａ）に示すように、ＥＶＦＬＣＤ４２には情報画像５７のみが表示される。情報画像５７は、図３に示すように、第２光路５０上を伝搬してハーフミラー４８によって反射され、第３光路５１に導かれる。ＯＶＦシャッタ４４は「開状態」とされているため、図８（Ｂ）に示す光学像５９がＯＶＦシャッタ４４を透過する。光学像５９は、第１光路４９上を伝搬してハーフミラー４８を透過して第３光路５１に導かれる。この結果、図８（Ｃ）に示すように、光学像５９と情報画像５７とが重ね合わせられたＯＶＦ画像Ｐ２がファインダ接眼部１６ｂに導かれる（Ｓ２３）。
【００５０】
図７に示す全画角枠表示モードＭ３では、第２表示制御部３８（図３参照）は、図９（Ａ）に示すように、被写体表示エリア４６に第１画角枠６１、第２画角枠６２、及び第３画角枠６３を表示し、情報表示エリア４７に情報画像５７を表示する。画角枠６１〜６３は、画角枠テーブルデータ４１の画角枠データに基づき作成される。画角枠６１〜６３は、ＯＶＦ画像中で、固体撮像素子３１により撮影される範囲（撮影範囲）を示すもので、それぞれの焦点距離毎に表示される（Ｓ２４）。
【００５１】
第１画角枠６１は、識別記号Ｂの画角枠データに基づき作成される。第１画角枠６１は、現在販売されている全ての撮影レンズ１２に対し、これらを用いた時の画角枠が示される。第２画角枠６２は、識別記号Ａの画角枠データに基づき作成される。第２画角枠６２は、現在保有している撮影レンズ１２を用いた時の画角枠が示される。第３画角枠６３は識別記号Ｃの画角枠データに基づき作成される。第３画角枠は、現在カメラ本体１１に装着されている撮影レンズ１２を用いた時の画角枠が示される。
【００５２】
これら第１〜第３画角枠６１〜６３は白色で表示され、その他の部分は黒色で表示される。また、各画角枠６１〜６３の下辺中央部には、各画角枠６１〜６３の焦点距離を示す数字と最大画角枠を基準とした拡大倍率とが例えば白色で表示される。
【００５３】
第１〜第３画角枠６１〜６３は、第１画角枠６１、第２画角枠６２、第３画角枠６３の順に各枠線の幅が太くなっており、これら第１〜第３画角枠６１〜６３の識別が可能になっている。なお、枠線の幅を変える他に、又は加えて、枠線の輝度を各画角枠６１〜６３毎に変更してもよい。
【００５４】
第１〜第３画角枠６１〜６３は、図３に示すように、第２光路５０上を伝搬してハーフミラー４８によって反射され、第３光路５１に導かれる。ＯＶＦシャッタ４４は「開状態」とされているため、図９（Ｂ）に示す光学像５９がＯＶＦシャッタ４４を透過する。光学像５９は、第１光路４９上を伝搬してハーフミラー４８を透過して第３光路５１に導かれる。この結果、図９（Ｃ）に示すように、光学像５９と情報画像５７及び第１〜第３画角枠６１〜６３とが重ね合わせられたＯＶＦ画像Ｐ３がファインダ接眼部１６ｂに導かれる（Ｓ２４）。
【００５５】
ユーザは、ＯＶＦ画像Ｐ３中の第１画角枠６１〜第３画角枠６３により、撮影範囲を確認することができる。また、マウント部１３に装着されている撮影レンズ１２による第３画角枠６３のみならず、保有している撮影レンズ１２の第２画角枠６２や、保有していない未購入の撮影レンズ１２の第１画角枠６１が表示される。このため、ユーザは、現状の撮影シーンに対応する最適な画角枠として、どれが良いかを容易に想像することができる。そして、最適な画角枠が第２画角枠６２である場合には、この画角枠の撮影レンズ１２に交換することで、最適な画角枠での撮影が可能になる。また、最適な画角枠が第１画角枠６１の場合には、新たに撮影レンズ１２を購入する動機付けとなり、撮影レンズ１２の販売促進に繋がる。
【００５６】
なお、本実施形態では、第１画角枠６１〜第３画角枠６３は、特定領域を囲うように枠状に表示しているが、特定領域を認識可能な表示形態であればよく、例えば、枠の角部分のみを表示してもよい。また、図示は省略したが、ＡＦ枠を画角枠６１〜６３と一緒に表示してもよい。ＡＦ枠は全画角枠表示モードＭ３以外のＥＶＦモードＭ１やＯＶＦモードＭ２において表示してもよい。
【００５７】
ＡＦ枠は、固体撮像素子３１により生成された撮像信号のうち、ＡＦ動作を行う際の対象範囲（フォーカスエリア）を示すものである。ＡＦ動作は、ＡＦ枠に対応する撮像信号に含まれるＡＦ評価値（例えば高周波成分の積算値）が最大となるように、フォーカスレンズ１７ｂを駆動制御することにより行われる。ＡＦ枠は、例えば、撮影範囲の中心に固定される。この他、ＡＦ枠は、操作部１４による設定や、顔検出機能により検出された人物の顔部分等に設定される。
【００５８】
次に、デジタルカメラ１０の作用について説明する。まず、ユーザにより、電源ボタン１８が操作されて電源がオン状態になると、デジタルカメラ１０の各部に電源電圧が供給される。電源のＯＮによって、図６に示すように、撮影レンズ装着履歴の記憶処理が行われる。先ず、マウント部１３に装着されている撮影レンズ１２のレンズ情報が読み取られる（Ｓ１１）。次に、レンズ情報により未装着レンズか否かが判定される（Ｓ１２）。レンズ情報が、画角枠テーブルデータ４１中の状態欄４１ｃで識別記号がＢになっている場合（未装着レンズの場合）には、識別記号Ｂが、保有を示す識別記号Ａに書き換えられる（Ｓ１３）。ステップＳ１２で未装着レンズでは無い場合には、装着レンズの変更の有無が判定される（Ｓ１４）。判定により、識別記号Ｃが記憶されている焦点距離の撮影レンズ１２がマウント部１３に装着されている撮影レンズと同じである場合（変更が無い場合）には、この焦点距離の撮影レンズ１２の状態欄４１ｃの識別記号Ｃはそのままに保持される。判定により、識別記号Ｃが付されたテーブルデータ４１の焦点距離を有する撮影レンズ１２と、マウント部１３に装着されている撮影レンズ１２とが異なる場合（変更が有る場合）には、対応する撮影レンズ１２の状態欄４１ｃが識別記号Ｃに書き換えられる（Ｓ１５）。また、それ以前に識別記号Ｃが付されていた撮影レンズ１２の状態欄４１ｃは識別記号Ｃから識別記号Ｂに書き換えられる（Ｓ１５）。このようにして装着履歴記憶部は更新処理を行う。
【００５９】
操作部１４が操作されて、撮影モードとして、例えばプログラム撮影モードが選択されると、シャッタ速度や絞り値が自動設定される。更に、モード選択ボタン２２が操作されて静止画撮影モードが選択されると、ファインダ１６が動作を開始する。
【００６０】
図７に示すように、ファインダ切替レバー２１（図３参照）の操作によりＥＶＦモードＭ１、ＯＶＦモードＭ２、全画角枠表示モードＭ３のいずれかが選択される（Ｓ２１）。
【００６１】
ＥＶＦモードＭ１では、図４に示すように、被写体表示エリア４６に被写体画像５５が表示され、情報表示エリア４７に情報画像５７が表示される。被写体画像５５及び情報画像５７は、第２光路５０上を伝搬してハーフミラー４８によって反射されることにより、第３光路５１に導かれる。ＯＶＦシャッタ４４は「閉状態」とされているため、光学像５９はハーフミラー４８には入射しない。この結果、図４に示すような被写体画像５５及び情報画像５７を有するＥＶＦ画像Ｐ１がファインダ接眼部１６ｂに導かれる（Ｓ２２）。
【００６２】
ＯＶＦモードＭ２では、第２表示制御部３８は、被写体表示エリア４６を非表示とし、情報表示エリア４７に情報画像５７を表示する映像信号を生成する。これにより、情報画像５７のみが第２光路５０上を伝搬してハーフミラー４８によって反射され、情報画像５７は第３光路５１に導かれる。ＯＶＦシャッタ４４は「開状態」とされているため、光学像５９がＯＶＦシャッタ４４を透過し、第１光路４９上を伝搬してハーフミラー４８を透過する。これにより、光学像５９は第３光路５１に導かれる。この結果、図８（Ｃ）に示すように、光学像５９と情報画像５７とが重ね合わせられたＯＶＦ画像Ｐ２がファインダ接眼部１６ｂに導かれる（Ｓ２３）。
【００６３】
全画角枠表示モードＭ３では、第２表示制御部３８（図３参照）は、図９（Ａ）に示すように、被写体表示エリア４６に第１画角枠６１、第２画角枠６２、及び第３画角枠６３を表示し、情報表示エリア４７に情報画像５７を表示する映像信号を生成する。画角枠６１〜６３は、画角枠テーブルデータ４１の画角枠データに基づき作成される。
【００６４】
全画角枠表示モードＭ３では、情報画像５７及び第１〜第３画角枠６１〜６３が第２光路５０上を伝搬してハーフミラー４８によって反射され、第３光路５１に導かれる。また、ＯＶＦシャッタ４４は「開状態」とされているため、図９（Ｂ）に示す光学像５９がＯＶＦシャッタ４４を透過し、第１光路４９上を伝搬してハーフミラー４８を透過して第３光路５１に導かれる。この結果、図９（Ｃ）に示すように、光学像５９と情報画像５７と各画角枠６１〜６３とが重ね合わせられたＯＶＦ画像Ｐ３がファインダ接眼部１６ｂに導かれる（Ｓ２４）。ユーザは、ファインダ接眼部１６ｂに接眼することにより、被写体の光学像５９を観察しながら撮影条件や各画角枠６１〜６３を確認することができる。
【００６５】
この状態でレリーズボタン１９が全押しされると、装着された撮影レンズ１２の焦点距離に応じた第３画角枠６３で被写体像の撮影が行われる。
【００６６】
［第２実施形態］
図１０及び図１１に示す第２実施形態では、画像データに基づき撮影シーンを判定し、この判定結果に基づき最適な撮影焦点距離に対応する画角枠を強調して表示する。撮影シーンの判定は、主制御部３２が行い、主制御部３２により判定部が構成されている。判定部では、画像の撮影シーンに適した最適焦点距離を判定する。また、最適焦点距離に対応する画角枠を強調して表示する強調表示制御部は、第２表示制御部３８により構成されている。この画角枠の強調表示は、ＯＶＦモードにおいて、モード選択ボタンの操作により、シーン判定最適画角枠表示モードＭ４を選択することで行われる。シーン判定最適画角枠表示モードＭ４では、主制御部３２によりシーン判定及び最適画角選択処理が行われる。
【００６７】
シーン判定では、顔検出の有無が判定される（Ｓ３１）。顔検出の有無判定で、顔が検出された場合にはポートレートに適した焦点距離を選択し（Ｓ３２）、この焦点距離を有する撮影レンズ１２の画角枠を強調表示したＯＶＦ画像Ｐ４を表示する（Ｓ３３）。なお、顔の検出方法は周知であり、説明は省略する。
【００６８】
図１１の撮影シーンでは、焦点距離が５０ｍｍの撮影レンズ１２が最適画角枠と判定され、この撮影レンズ１２の第２画角枠６２が点線表示に切り替えられて、且つ点滅して強調表示される。最適画角枠の強調表示は、第１実施形態での第３画角枠の強調表示とは異なる表示形態を採用する。例えば枠線の点線表示や枠線の点滅表示の他に、枠線の色を白色から例えば赤色に変えて表示する。これらの強調表示は一つを採用してもよく、また複数を組み合わせて採用してもよい。
【００６９】
更に、二点鎖線のハッチングで示すように、最適画角枠以外の被写体画像５５の領域を、最適画角枠内の輝度よりも低い輝度で表示してもよい。この場合には、最適画角枠内の画像が明確になり、画角枠の決定が容易になる。
【００７０】
なお、顔検出の有無に代えて又は加えて、検出された顔の領域の面積に基づき、この顔領域の面積が一定値以上の時に顔領域の例えば１．２５倍の面積を有する画角枠を最適画角枠として選択してもよい。顔領域と画角枠内との面積比は１．２５倍に限られず、適宜変更してよい。
【００７１】
次に、顔検出の有無判定で、顔が検出されない場合に、撮影シーンが風景であると判定する（Ｓ３１）。風景と判定された時には、風景撮影に最適な広角系の撮影レンズによる画角枠を選択し（Ｓ３４）、この画角枠の枠線を一点鎖線や二点鎖線のような異なる線種を用いたり、色を例えば青色で表示したりする（Ｓ３５）。風景であるとのシーン判定結果と、シーン判定結果に対する最適な画角枠との関係は予め記憶されている。風景か否かの判定方法は周知であり、詳しい説明は省略する。例えば、顔の検出の有無の他に又は加えて、撮影シーン毎に予め用意された特徴データサンプルを記憶しておいても良い。この場合には、画像データから撮影シーンの特徴を示す特徴データを生成し、この特徴データと、特徴データサンプルとの比較により、風景か否かを判定する。
【００７２】
［第３実施形態］
第１実施形態では、ＥＶＦモードＭ１、ＯＶＦモードＭ２、全画角枠表示モードＭ３の切り替えを行っている。第３実施形態は上記各モードＭ１〜Ｍ３に加えて、被写体画像５５及び光学像５９を同時に観察可能とするハイブリッドモードＭ５を有する。以下、ハイブリッドモードＭ５についてのみ説明し、ＥＶＦモードＭ１、ＯＶＦモードＭ２、全画角枠表示モードＭ３は第１実施形態と同様なので説明を省略する。
【００７３】
図１２に示すように、ＥＶＦＬＣＤ４２には、被写体表示エリア８０と、情報表示エリア８１と、被写体表示エリア８０より小さいサブ表示エリア８２が設定される。サブ表示エリア８２は、被写体表示エリア８０とは中心がずれた位置、例えば、右下に設定される。情報表示エリア８１には情報画像５７が表示され、サブ表示エリア８２には被写体画像５５が表示される。また、被写体表示エリア８０は非表示である。
【００７４】
図３に示すように、情報画像５７及び被写体画像５５が第２光路５０上を伝搬してハーフミラー４８によって反射される。また、ＯＶＦシャッタ４４は「開状態」とされているため、光学像５９がＯＶＦシャッタ４４を透過し、第１光路４９上を伝搬してハーフミラー４８を透過する。この結果、図１３に示すように、光学像５９と情報画像５７と被写体画像５５とが重畳されたハイブリッド画像Ｐ５がファインダ接眼部１６ｂに導かれる。また、被写体画像５５はサブ表示エリア８２に表示されるため、光学像５９に近接させて表示することができる。なお、被写体表示エリア８０を非表示とする代わりに、第１実施形態と同じように、被写体表示エリア８０に各画角枠６１〜６３を表示してもよい。
【００７５】
また、第３実施形態のハイブリッドモードＭ５においても、第１実施形態で説明したＡＦ枠を表示してもよい。この場合、被写体表示エリア８０にＡＦ枠を表示し、サブ表示エリア８２には、ＡＦ枠内の部分に相当する被写体画像を拡大表示することが好ましい。これにより、サブ表示エリア８２に表示される画像で、フォーカスの確認を行うことができる。
【００７６】
［第４実施形態］
図１４及び図１５に示すように、第４実施形態では、ＯＶＦモードＭ２において、電子ズーム画角枠表示モードＭ６が選択された時に（Ｓ４０）、電子ズーム（デジタルズーム）機能による複数の画角に対応する画角枠８５をＯＶＦ画像Ｐ６に表示する（Ｓ４１）。電子ズームは、画像データから電子ズーム倍率に対応する大きさの領域を切り取って拡大する機能である。電子ズームした状態でレリーズボタンが押されることにより、電子ズーム倍率に対応する大きさの領域の画像データが得られる。
【００７７】
電子ズーム画角枠表示モードＭ６は、カメラの初期設定時において、電子ズームする前に複数の電子ズームによる画角枠を表示したい場合に設定される。この電子ズーム画角枠表示モードＭ６が選択された状態で、例えば電子ズーム倍率ボタンが押されることにより、電子ズームに入る前に、例えば２〜５秒程度、図１５に示すように複数のズーム画角枠８５が表示される。従って、このズーム画角枠８５をユーザが確認することで、最適ズーム倍率による画角枠の選択が容易になる。この後、更に電子ズームボタンが押し続けられることにより、電子ズームに切り替わり、ズーム画角枠８５の表示から電子ズームの画像表示に切り換えられる（Ｓ４２）。
【００７８】
なお、電子ズーム画角枠表示モードＭ６は、ＯＶＦモードＭ２の他に、ＥＶＦモードＭ１やハイブリッドモードＭ５で行ってもよい。
【００７９】
［変形例］
固体撮像素子３１により得られる画像データは、マウント部１３に装着されている撮影レンズ１２の画角範囲内でしか得ることができない。このため、ＥＶＦモードＭ１では、装着されている撮影レンズ１２による画角よりも大きなエリアには被写体画像を表示することができない。このため、広角の撮影レンズ１２の画角枠のみを表示しても、画角枠のみの表示になるため、広角の撮影レンズ１２による具体的な撮影範囲を想像することが困難である。これを補うために、変形例では、図１６に示すように、スイングパノラマ撮影手法によって、装着されている撮影レンズの画角枠よりも、例えば４倍大きなエリアを撮影する。スイングパノラマ撮影手法は周知であり、カメラを移動しての画像取得方法の説明は省略する。
【００８０】
変形例では、図１６に示すように、撮影シーンに対してカメラのスイング方向をＵ型として、約４倍の撮影画角の画像Ｆ１〜Ｆ４を得る。カメラのスイング方向は任意であり、例えば、最初に水平方向で右側に、次に鉛直方向に下側に、最後に水平方向で左側にカメラを動かす。これにより、各部の画像Ｆ１〜Ｆ４を取得する。得られた画像Ｆ１〜Ｆ４から、これらの境界を例えばパターン認識により抽出し、境界部分で各画像Ｆ１〜Ｆ４を接続して約４倍の撮影画角の画像Ｆ５を取得する。なお、カメラのスイング方向は、最初に鉛直方向上側に、次に水平方向右側に、最後に鉛直方向下側にして、縦に長い画像データを得てもよい。また、単に水平方向右側、又は水平方向左側にカメラをスイングして横に長いパノラマ画像を得てもよい。更には、鉛直方向上側や鉛直方向下側にカメラをスイングして縦に長いパノラマ画像を得てもよい。
【００８１】
上記スイングパノラマ撮影手法で得られた画像Ｆ５に基づくパノラマ画像Ｐ７は、図１７に示すように、ＥＶＦモード又はハイブリッドモードや、背面表示部１５への表示の際に表示される。また、このパノラマ画像Ｐ７に対して、第１実施形態と同様にして第１画角枠６１〜第３画角枠６３が表示される。このようにスイングパノラマ撮影手法で得られたパノラマ画像Ｐ７中に、第１画角枠〜第３画角枠６１〜６３が表示されることにより、各撮影レンズ１２による撮影画角の把握が容易になる。
【００８２】
上記実施形態は、レンズ鏡筒がカメラ本体に着脱自在に装着される撮影装置に本発明を適用したものであるが、レンズ鏡筒とカメラ本体とが分離不能な一体型であって、焦点距離の異なるコンバージョンレンズがレンズ鏡筒に着脱自在に装着される撮影装置に本発明を適用することも可能である。この場合、コンバージョンレンズが、特許請求の範囲に記載の撮影レンズに対応し、レンズ鏡筒におけるコンバージョンレンズの接続部が、特許請求の範囲に記載のマウント部に対応する。
【００８３】
なお、本発明は、デジタルカメラ以外に、ビデオカメラ、携帯電話機、スマートフォン等の撮影装置に適用可能である。
【符号の説明】
【００８４】
１０    デジタルカメラ
１１    カメラ本体
１２    撮影レンズ
１３    マウント部
１６    ファインダ
２２    モード選択ボタン
２３    ズームボタン
３１    固体撮像素子
３２    主制御部
３８    第２表示制御部
４１    画角枠テーブルデータ
４２    ＥＶＦＬＣＤ
５５    被写体画像
５７    情報画像
５９    光学像
６１    第１画角枠
６２    第２画角枠
６３    第３画角枠
８０    被写体表示エリア
８１    情報表示エリア
８２    サブ表示エリア
８５    ズーム画角枠
Ｍ１    ＥＶＦモード
Ｍ２    ＯＶＦモード
Ｍ３    全画角枠表示モード
Ｍ４    シーン判定最適画角枠表示モード
Ｍ５    ハイブリッドモード
Ｍ６    電子ズーム画角枠表示モード
【図１】
2017086065.tif 000003
【図２】
2017086065.tif 000004
【図３】
2017086065.tif 000005
【図４】
2017086065.tif 000006
【図５】
2017086065.tif 000007
【図６】
2017086065.tif 000008
【図７】
2017086065.tif 000009
【図８】
2017086065.tif 000010
【図９】
2017086065.tif 000011
【図１０】
2017086065.tif 000012
【図１１】
2017086065.tif 000013
【図１２】
2017086065.tif 000014
【図１３】
2017086065.tif 000015
【図１４】
2017086065.tif 000016
【図１５】
2017086065.tif 000017
【図１６】
2017086065.tif 000018
【図１７】
2017086065.tif 000019
【手続補正書】
【提出日】平成30年7月20日(2018.7.20)
【手続補正１】
【補正対象書類名】特許請求の範囲
【補正対象項目名】全文
【補正方法】変更
【補正の内容】
【特許請求の範囲】
【請求項１】
焦点距離の異なる複数の撮影レンズが着脱自在に装着されるマウント部と、
前記マウント部に装着された１つの前記撮影レンズを介して入射する被写体像に基づき画像を生成する撮像素子と、
ファインダ用レンズを介して前記被写体像を観察可能に構成されたファインダと、
前記ファインダ内において、情報を前記被写体像に重畳させて観察可能に表示させるファインダ内情報表示部と、
前記マウント部に過去に装着された前記撮影レンズの装着履歴を記憶する装着履歴記憶部と、
前記ファインダ内情報表示部を制御し、前記マウント部に装着可能な全ての前記撮影レンズの焦点距離に対応した複数の第１画角枠を前記情報として表示させる第１画角枠表示制御部と、
前記ファインダ内情報表示部を制御し、前記装着履歴に基づき、前記複数の第１画角枠のうち、前記マウント部に過去に装着された前記撮影レンズの焦点距離に対応するものを第２画角枠として、前記第１画角枠とは異なる表示形態で前記情報として表示させる第２画角枠表示制御部と、
前記ファインダ内情報表示部を制御し、現在前記マウント部に装着されている前記撮影レンズの焦点距離に対応する第３画角枠を、前記第１及び第２画角枠とは異なる表示形態で前記情報として表示させる第３画角枠表示制御部と、
を備える撮影装置。
【請求項２】
前記画像の撮影シーンに適した最適焦点距離を判定する判定部と、
前記第１〜第３画角枠のうちから、前記判定部により判定された前記最適焦点距離に対応する画角枠を強調表示させる強調表示制御部と、
を備える請求項１に記載の撮影装置。
【請求項３】
前記ファインダ内情報表示部は、前記情報の他に、前記撮像素子により生成された前記画像を、前記被写体像に重畳又は近接させて表示する請求項２に記載の撮影装置。
【請求項４】
前記ファインダ内情報表示部は、前記判定部により判定された前記最適焦点距離に対応する最適画角枠を、前記被写体像に重ね合わせて表示させる請求項３に記載の撮影装置。
【請求項５】
前記ファインダ内情報表示部は、前記被写体像に重ね合わせて表示させる前記最適画角枠以外の領域を、輝度を低下させて表示させる請求項４に記載の撮影装置。
【請求項６】
前記画像から電子ズーム倍率に対応する大きさの領域を切り取って拡大する電子ズーム機能を備え、
前記ファインダ内情報表示部は、前記電子ズーム機能が実行される前に、複数の電子ズーム倍率に対応する複数の画角枠を前記画像中に表示させる請求項３から５いずれか１項に記載の撮影装置。
【請求項７】
焦点距離の異なる複数の撮影レンズが着脱自在に装着されるマウント部と、
前記マウント部に装着された１つの前記撮影レンズを介して入射する被写体像に基づき画像を生成する撮像素子と、
ファインダ用レンズを介して前記被写体像を観察可能に構成されたファインダと、
前記ファインダ内において、情報を前記被写体像に重畳させて観察可能に表示させるファインダ内情報表示部と、
を備える撮影装置の制御方法において、
前記マウント部に過去に装着された前記撮影レンズの装着履歴を記憶する装着履歴記憶ステップと、
前記ファインダ内情報表示部を制御し、前記マウント部に装着可能な全ての前記撮影レンズの焦点距離に対応した複数の第１画角枠を前記情報として表示させる第１画角枠表示制御ステップと、
前記ファインダ内情報表示部を制御し、前記装着履歴に基づき、前記複数の第１画角枠のうち、前記マウント部に過去に装着された前記撮影レンズの焦点距離に対応するものを第２画角枠として、前記第１画角枠とは異なる表示形態で前記情報として表示させる第２画角枠表示制御ステップと、
前記ファインダ内情報表示部を制御し、現在前記マウント部に装着されている前記撮影レンズの焦点距離に対応する第３画角枠を、前記第１及び第２画角枠とは異なる表示形態で前記情報として表示させる第３画角枠表示制御ステップと、
を含む撮影装置の制御方法。
【手続補正２】
【補正対象書類名】明細書
【補正対象項目名】００１３
【補正方法】変更
【補正の内容】
【００１３】
ファインダ内情報表示部は、情報の他に、撮像素子により生成された画像を、被写体像に重畳又は近接させて表示することが好ましい。また、ファインダ内情報表示部は、判定部により判定された最適焦点距離に対応する最適画角枠を、被写体像に重ね合わせて表示することが好ましい。更に、ファインダ内情報表示部は、被写体像に重ね合わせて表示させる最適画角枠以外の領域を、輝度を低下させて表示することが好ましい。
【国際調査報告】
2017086065.tif 000020
2017086065.tif 000021
2017086065.tif 000022